(57)【要約】 本実施例は、冷蔵庫用アイスバンクの固定装置及びこれを含む冷蔵庫に関するものである。本実施例の冷蔵庫用アイスバンクの固定装置は、冷蔵庫ドアの裏面と前記ドアの裏面に着脱可能に設置されるアイスバンクのうちでいずれか一方に形成される複数個の締結溝と、前記ドアの裏面と前記アイスバンクのうちで他方に具備されて、回転過程によって前記各締結溝に選択的に挿入または前記各締結溝から分離する複数個の締結部が含まれる。
2010503819.tif 000002
【特許請求の範囲】
【請求項１】
冷蔵庫ドアの裏面と前記ドアの裏面に着脱可能に設置されるアイスバンクのうちでいずれか一方に形成される複数個の締結溝と、
前記ドアの裏面と前記アイスバンクのうちで他方に具備されて、回転過程によって前記各締結溝に選択的に挿入または前記各締結溝から分離する複数個の締結部が含まれる冷蔵庫用アイスバンクの固定装置。
【請求項２】
前記各締結溝は、前記ドアにお互いに離隔されて形成されて、
前記各締結部は、前記アイスバンクに回転可能に形成されることを特徴とする請求項１に記載の冷蔵庫用アイスバンクの固定装置。
【請求項３】
前記アイスバンクには前記締結部が回転されるための回動空間が陥没形成されることを特徴とする請求項２に記載の冷蔵庫用アイスバンクの固定装置。
【請求項４】
前記締結部の回転中心を提供する回転軸がさらに含まれて、
前記回転軸を基準に前記締結部の一側に、前記締結溝に挿入される締結突起が形成されることを特徴とする請求項２に記載の冷蔵庫用アイスバンクの固定装置。
【請求項５】
前記回転軸を中心に前記締結部の一側に使用者が前記締結部を操作するためのレバーが形成されることを特徴とする請求項４に記載の冷蔵庫用アイスバンクの固定装置。
【請求項６】
前記レバーは、前記アイスバンクが前記ドアに結合された状態で前記アイスバンクの外側に突き出されることを特徴とする請求項５に記載の冷蔵庫用アイスバンクの固定装置。
【請求項７】
前記レバーは、前記アイスバンクの外側にラウンドになるように延長されることを特徴とする請求項５に記載の冷蔵庫用アイスバンクの固定装置。
【請求項８】
前記締結部が前記締結溝に締結される方向に回動するようにする弾性力を前記締結部に付与する弾性部材がさらに含まれることを特徴とする請求項４に記載の冷蔵庫用アイスバンクの固定装置。
【請求項９】
冷蔵庫ドアの裏面に形成される複数個の締結溝と、
前記ドアの裏面に着脱可能に設置されるアイスバンクに形成されて、前記各締結溝に選択的に結合される複数個の締結部と、及び
前記各締結部の回転中心を提供する回転軸が含まれて、
前記各締結部は前記回転軸を基準に一側が、前記各締結溝が選択的に結合されることを特徴とする冷蔵庫用アイスバンクの固定装置。
【請求項１０】
前記締結部は、前記回転軸を基準に一側に前記各締結溝が挿入される締結ホックが形成されて、他側に前記締結部を回転させるためのレバーが形成されることを特徴とする請求項９に記載の冷蔵庫用アイスバンクの固定装置。
【請求項１１】
前記レバーは、前記アイスバンクの外側に突き出されることを特徴とする請求項１０に記載の冷蔵庫用アイスバンクの固定装置。
【請求項１２】
前記レバーは、前記アイスバンクの外側にラウンドになるように延長されることを特徴とする請求項１０に記載の冷蔵庫用アイスバンクの固定装置。
【請求項１３】
前記アイスバンクには、前記締結部が回転されるための回動空間が陥没形成されることを特徴とする請求項９に記載の冷蔵庫用アイスバンクの固定装置。
【請求項１４】
前記回転軸には、前記締結部が前記締結溝に締結される方向に回動するようにする弾性力を前記締結部に付与する弾性部材が結合されることを特徴とする請求項９に記載の冷蔵庫用アイスバンクの固定装置。
【請求項１５】
ディスペンサーを有する冷蔵庫ドアと、
前記冷蔵庫ドアの裏面に選択的に結合されて、製造された氷が保存されるアイスバンクと、
前記アイスバンクに形成される陥没部と、
前記陥没部に位置される締結部と、及び
前記冷蔵庫ドアの裏面に形成されて前記締結部が結合される締結溝が含まれることを特徴とする冷蔵庫。
【請求項１６】
前記締結部の回転中心を提供する回転軸が含まれて、前記締結部は前記回転軸を基準に一側が前記締結溝に挿入されることを特徴とする請求項１５に記載の冷蔵庫。
【請求項１７】
前記締結部には、前記回転軸を基準に他側に前記締結部を回転させるためのレバーが形成されることを特徴とする請求項１６に記載の冷蔵庫。
【請求項１８】
前記レバーは、前記アイスバンクが前記ドアに結合された状態で前記アイスバンクの外側に露出することを特徴とする請求項１７に記載の冷蔵庫。
【請求項１９】
前記アイスバンクには、保存された氷が排出されるようにする氷排出口と、前記ディスペンサーを通じて氷が取り出されるように氷を前記ディスペンサーに移送する移氷手段が含まれることを特徴とする請求項１５に記載の冷蔵庫。
【請求項２０】
前記氷排出口は、前記アイスバンクが前記ドアの裏面に装着された状態で前記移氷手段を駆動して氷が前記ディスペンサーに移送される場合のみに開放されることを特徴とする請求項１９に記載の冷蔵庫。
【発明の詳細な説明】
【技術分野】
【０００１】
本実施例は、冷蔵庫用アイスバンク固定装置及びこれを含む冷蔵庫に関するものである。
【背景技術】
【０００２】
一般に、冷蔵庫は食品を低温の状態で保管する機器である。このような冷蔵庫は、保存室が形成される本体と、前記保存室を開閉させるドアが具備される。
【０００３】
そして、前記保存室には氷を製造するアイスメーカーと、該アイスメーカーで製造された氷が保存されるアイスバンクが提供されることができる。そして、前記アイスバンクには前記アイスバンクに保存された氷がディスペンサーに移動されるようにする移氷レバーが具備されて、前記移氷レバーは移氷モータによって駆動される。
【０００４】
ところが、このような構成をなす冷蔵庫によると、前記保存室の容積が前記アイスバンクの容積程度に減る問題がある。そして、前記アイスバンクに保存される氷は、前記移氷レバーによって前記ディスペンサーを通じて排出されるので、使用者の必要によって前記アイスバンクに保存された氷を直接引き出すことができない問題がある。
【発明の概要】
【発明が解決しようとする課題】
【０００５】
本実施例は、保存室の容積減少を最小化することができる冷蔵庫用アイスバンク固定装置及びこれを含む冷蔵庫を提案することを目的とする。
【０００６】
また、本実施例は、アイスバンクに保存された氷を使用者の選択によって自動または受動で引き出すようにする冷蔵庫用アイスバンク固定装置及びこれを含む冷蔵庫を提案することを目的とする。
【課題を解決するための手段】
【０００７】
一側面による冷蔵庫用アイスバンクの固定装置は、冷蔵庫ドアの裏面と前記ドアの裏面に着脱可能に設置されるアイスバンクのうちでいずれか一方に形成される複数個の締結溝と、前記ドアの裏面と前記アイスバンクのうちで他方に具備されて、回転過程によって前記各締結溝に選択的に挿入または前記各締結溝から分離する複数個の締結部が含まれる。
【０００８】
他の側面による冷蔵庫用アイスバンクの固定装置は、冷蔵庫ドアの裏面に形成される複数個の締結溝と、前記ドアの裏面に着脱可能に設置されるアイスバンクに形成されて、前記各締結溝に選択的に結合される複数個の締結部と、及び前記各締結部の回転中心を提供する回転軸が含まれて、前記各締結部は前記回転軸を基準に一側が、前記各締結溝が選択的に結合されることを特徴とする。
【０００９】
また他の側面による冷蔵庫は、ディスペンサーを有する冷蔵庫ドアと、該冷蔵庫ドアの裏面に選択的に結合されて、製造された氷が保存されるアイスバンクと、該アイスバンクに形成される陥没部と、該陥没部に位置される締結部と、及び前記冷蔵庫ドアの裏面に形成されて前記締結部が結合される締結溝が含まれる。
【発明の効果】
【００１０】
提案される実施例によると、製造された氷が保存されるアイスバンクが冷蔵庫ドアの裏面に設置されるので、保存室の保存空間の容量が低下される現象が防止されることで、より多い食品を保存室に保存することができるようになる。
【００１１】
また、前記アイスバンクが固定装置によって前記冷蔵庫ドアの裏面に装着された状態でより容易に着脱される。したがって、使用者が前記アイスバンクに保存された氷を、ディスペンサーを通じて自動で引き出すか、または前記アイスバンクを前記冷蔵庫ドアの裏面から脱去させた状態で、直接受動で引き出して使うことができるようになる。
【図面の簡単な説明】
【００１２】
図１は、本実施例によるアイスバンクが冷蔵庫ドアで分離した状態を示す斜視図である。
【００１３】
図２は、アイスバンクが冷蔵庫ドアから分離される過程を示す状態図である。
【００１４】
同じく、図３は、アイスバンクが冷蔵庫ドアから分離される過程を示す状態図である。
【００１５】
同じく、図４は、アイスバンクが冷蔵庫ドアから分離される過程を示す状態図である。
【発明を実施するための形態】
【００１６】
以下では、添付される図面を参照して実施例に対して具体的に説明する。
【００１７】
図１は、本実施例によるアイスバンクを冷蔵庫ドアで分離した状態を示す斜視図であり、図２ないし図４は、アイスバンクが冷蔵庫ドアが分離される過程を示す状態図である。
【００１８】
図１ないし図４を参照すると、本実施例による冷蔵庫ドア５０にはディスペンサー５１が具備される。前記ディスペンサー５１は、前記ドア５０を開かないで、すなわち前記保存空間を開放しないで、外部から水や氷を取り出すためのものである。
【００１９】
前記ドア５０の前面外観をアウトドア５３が形成する。そして、前記アウトドア５３の内側には前記ドア５０の裏面外観を形成するドアライナー５５が結合される。前記ドア５０の裏面両側端部には支持端５６がそれぞれ具備される。前記各支持端５６は実質的に前記ドアライナー５５の一部が所定の長さ程度後方に突き出されて上下に長く形成される。
【００２０】
前記各支持端５６のお互いに向かい合う面には、少なくとも一対の締結溝５７が形成される。前記締結溝５７は前記支持端５６のお互いに向かい合う面に対応される位置に形成される。前記締結溝５７は前記支持端５６のお互いに向かい合う面の一部が陥没されて形成される。
【００２１】
そして、前記ドア５０の裏面には安着端５８が具備される。前記安着端５８は、前記支持端５６の間に該当する前記ドアライナー５５の一部が後方で所定の長さ程度に突き出されて形成される。この時、前記安着端５８は前記支持端５６に比べて相対的にさらに長く突き出される。
【００２２】
一方、前記安着端５８には開口部５９が形成される。前記開口部５９は後で説明するアイスバンク６０の氷保存空間６０Ｓに保存された氷が前記ディスペンサーに移動されるようにするためのものである。
【００２３】
前記ドア５０の裏面一側には、アイスバンク６０が着脱可能に設置される。前記アイスバンク６０が前記ドア５０の裏面に装着された状態で、前記アイスバンク６０の両側面はそれぞれ前記支持端５６のお互いに向かい合う面に密着されて、前記アイスバンク６０の底面は前記安着端５８の上面に安着される。
【００２４】
前記アイスバンク６０は、アイスメーカー(図示せず)で製造された氷が保存される氷保存空間６０Ｓを形成して、上側が開口される。前記氷保存空間６０Ｓには前記アイスバンク６０の上方に該当する前記ドア５０の裏面上端部に具備される製氷機(図示せず)に製造された氷が保存される。
【００２５】
そして、前記アイスバンク６０は使用者が外部で氷を取り出すことができるように保存された氷を前記ディスペンサー５１に伝達する。
【００２６】
詳しくは、前記アイスバンク６０の下面には氷が外部に排出されるようにする氷排出口６３が形成される。前記氷排出口６１は前記安着端５８の開口部５９と対応されるように位置される。そして、前記アイスバンク６０の内部には前記氷保存空間６０Ｓに保存された氷を所定大きさで粉砕させて前記ディスペンサー５１に移送させる砕氷機６１が具備される。そして、前記砕氷機６１は前記氷排出口６３の上方に位置されて、前記氷排出口６３と接するように位置される。
【００２７】
また、図示しなかったが、前記砕氷機６１は砕氷モータ(図示せず)から駆動力を提供されて動作する。前記砕氷モータは、前記アイスバンク６０の一側に具備されるか、または前記ドア５０に具備されて別途の連動手段によって前記砕氷カッター６１に駆動力を伝達するように構成されることができる。
【００２８】
前記氷排出口６３は、前記砕氷機６１の駆動可否によって開閉される。すなわち、前記砕氷機６１が駆動されれば、前記氷保存空間６０Ｓに保存された氷が前記氷排出口６３及び開口部５９を通じて前記ディスペンサー５１に伝達する。しかし、前記砕氷機６１が駆動されない場合には、前記氷排出口６３は前記砕氷機６１によって実質的に遮蔽された状態になる。
【００２９】
また、前記アイスバンク６０には透視窓６５が具備される。前記アイスバンク６０の透視窓６５は透明または半透明な材質で形成される。そして、前記透視窓６５を通じて使用者が前記氷保存空間６０Ｓに保存された氷の量を識別することができるようになる。
【００３０】
一方、前記アイスバンク６０の両側面には回動空間６７がそれぞれ具備される。前記回動空間６７は後で説明する締結部７１の回動のためのものである。前記回動空間６７は前記アイスバンク６０の両側面の一部がその内部に陥没されて形成される。
【００３１】
そして、前記アイスバンクには少なくとも一対の締結ホックが回転可能に具備されて、前記各締結ホック７１は前記各回動空間６７に位置される。前記締結部７１は前記締結溝５７に選択的に締結されて、前記アイスバンク６０が前記ドア５０の裏面に装着された状態で任意に脱去されることを防止するためのものである。前記締結部７１はそれぞれ前記回動空間６７の内部に垂直に具備される回転軸７１Ｈを中心に、その両端が左右に回転される。これと異なり前記締結部７１に回転軸が形成されて、前記アイスバンク６０に前記回転軸が挿入される軸挿入溝が形成されることもできる。
【００３２】
そして、前記回転軸７１Ｈを基準に前記ドア５０の裏面に接する前記締結部７１の一端部の外面には締結突起７３が形成される。前記締結突起７３は、前記締結部７１が前記回転軸７１Ｈを中心に回動すると、前記締結溝５７に選択的に挿入される。前記締結突起７３の外面には案内傾斜面７４がそれぞれ形成される。前記案内面７４は前記アイスバンク６０が前記ドア５０の裏面に装着される過程で前記締結突起７３が前記締結溝５７に挿入されるように案内する役割をする。そして、前記案内面７４はラウンドになるように形成される。
【００３３】
また、前記回転軸７１Ｈを中心に前記締結部７１の他端部にはレバー部７５が具備される。前記レバー部７５は、前記締結部７１が前記回転軸７１Ｈを中心に回動されるために使用者が引く部分である。一例で、前記レバー部７５は前記回動空間６７の外部に位置されるように前記締結部７１の他端部の一部が前記アイスバンク６０の外側にラウンドになるように形成されることができる。ここで、前記アイスバンク６０が前記ドア５０に結合された状態で前記レバー部７５を引っ張ることができるようにするために、前記アイスバンク６０が前記ドア５０に結合された状態で前記レバー部７５は前記アイスバンク６０の外部に突き出される。
【００３４】
また、前記回転軸７１Ｈ上にはトーションスプリング７７が具備される。前記トーションスプリング７７はその両端部が前記アイスバンク６０の一側と前記締結部７１の一側にそれぞれ支持される。前記トーションスプリング７７は前記締結部７１が前記締結溝５７に締結、すなわち実質的に前記締結突起７３が前記締結溝５７に挿入される方向に回動するようにする弾性力を前記締結部７１に付与する。例えば、前記トーションスプリング７７の両端部が前記回動空間６７の天井と前記締結部７１の上端にそれぞれ支持されることができる。
【００３５】
以下では、本実施例によるアイスバンク固定装置及びこれを含む冷蔵庫の望ましい実施例によってアイスバンクを着脱する過程を添付された図面を参照してより詳細に説明する。
【００３６】
先ず、図２に示されたところのように、アイスバンク６０がドア５０の裏面に装着された状態では、締結突起７３が締結溝５７に挿入されている。そして、前記トーションスプリングによって前記締結突起７３が前記締結溝５７に挿入された状態が維持される。
【００３７】
したがって、前記アイスバンク６０が前記ドア５０の裏面に装着された状態で任意に脱去されなくなる。
【００３８】
このような状態で使用者がディスペンサー５１を操作すると、砕氷機６１が駆動して前記アイスバンク６０の氷保存空間６０Ｓに保存された氷が前記ディスペンサー５１を通じて外部に取り出される。したがって、使用者は前記ドア５０を開かないで外部に氷を取り出すことができるようになる。
【００３９】
一方、前記アイスバンク６０を前記ドア５０から脱去させるためには、図３に示されたところのように、前記締結部７１が前記締結溝５７から脱去されるようにする。これのために使用者はレバー部７５を前記アイスバンクの外側に引っぱる。すなわち、図３で右側の締結部７１を、回転軸７１Ｈを中心に時計方向に回動させて、図３で左側の締結部７１を回転軸７１Ｈを中心に右側に回動させる。そうすると、前記締結突起７３が前記締結溝５７から分離することで、前記締結部７１が前記締結溝５７から脱去される。
【００４０】
このような状態で、図４に示されたところのように、前記アイスバンク６０を前記ドア５０の裏面から遠くなる方向に引っぱれば、前記アイスバンク６０が前記ドア５０の裏面から脱去される。したがって、使用者は前記アイスバンク６０の氷保存空間６０Ｓに保存された氷を直接外部に引き出して使うことができるようになる。
【００４１】
一方、前記アイスバンク６０が前記ドア５０の裏面から脱去されれば、使用者が手で握っている前記レバー部７５を放すことで、前記締結部７１を回動させる力を除去する。また、前記アイスバンク６０の氷排出口６３は実質的に前記砕氷カッター６１によって遮蔽されて、これを通じて氷が外部に引き出される現象が防止される。
【００４２】
一方、前記アイスバンクを結合させるためには上で説明した分離過程と反対の過程を経るようになる。但し、アイスバンクを結合させるためには前記レバー部を引っ張らなくても良い。
【００４３】
図示した実施例では、前記アイスバンクが前記ドアの裏面に直接装着されるが、必ずこれに限定されるものではない。例えば、前記ドアの裏面に別途の安着口が具備されて、前記安着口に前記アイスバンク及び製氷機が設置されるように構成されることもできる。
【００４４】
また、本実施例では締結溝がドアに形成されて、締結部がアイスバンクに形成されるが、これと反対に、締結溝がアイスバンクに形成されて、締結部がドアに形成されることもできるであろう。
【産業上の利用可能性】
【００４５】
本実施例によると、アイスバンクが固定装置によってドアに選択的に結合されるので、使用者の選択によって、前記アイスバンクに保存された氷がディスペンサーを通じて自動で引き出されるようにするか、または前記アイスバンクを前記冷蔵庫ドアの裏面から脱去させた状態で直接受動で引き出して使うことができる長所があるので、産業上の利用可能性が大きい。
【図１】
2010503819.tif 000003
【図２】
2010503819.tif 000004
【図３】
2010503819.tif 000005
【図４】
2010503819.tif 000006
【図５】
2010503819.tif 000007
【図６】
2010503819.tif 000008
【図７】
2010503819.tif 000009
【図８】
2010503819.tif 000010
【国際調査報告】
2010503819.tif 000011
2010503819.tif 000012